(57)【特許請求の範囲】
【請求項１】
感情を表すタグのうちの、ユーザがコンテンツに対する登録を指示したタグに含まれるそのタグを特定する特定情報と、前記ユーザがタグの登録を指示したときの時刻を示す時刻情報とが含まれる登録情報の数に関する登録数情報を取得する取得手段と、
前記コンテンツのシーン切替を検出し、検出した位置でコンテンツを複数のシーンに分割する分割手段と、
前記シーン毎の時刻情報における所定の感情を表すタグの登録数情報の順位により前記シーンを抽出する抽出手段と、
前記抽出手段により抽出されたシーンのみからなるコンテンツを再生する再生手段と
を含む情報処理装置。
【請求項２】
ユーザによるタグの登録の指示に応じて、前記登録情報を生成する生成手段をさらに備え、
前記取得手段は、前記生成手段により生成された前記登録情報を用いて、前記登録数情報を生成することにより取得する
請求項１に記載の情報処理装置。
【請求項３】
前記取得手段は、他の装置から、他のユーザによるタグの登録の指示に応じて生成された前記登録数情報を取得する
請求項１に記載の情報処理装置。
【請求項４】
前記取得手段は、複数の他のユーザによるタグの指示に応じて生成された前記登録情報の数を、前記特定情報毎に集計した数に関する登録数情報として取得する
請求項３に記載の情報処理装置。
【請求項５】
前記抽出手段は、前記シーン毎の時刻情報における前記所定の感情を表すタグの登録数情報の順位が上位または下位の前記シーン、または、前記上位または下位の前記シーン以外のシーンを抽出する
請求項１に記載の情報処理装置。
【請求項６】
前記抽出手段により抽出されたシーンの、それぞれのシーンに含まれる画像からなるインデックスを生成するインデックス生成手段をさらに含み、
前記再生手段は、前記インデックスのうち、選択された画像の属するシーンから、前記抽出手段により抽出されたシーンのみからなるコンテンツを再生する
請求項１に記載の情報処理装置。
【請求項７】
タグの登録の対象のコンテンツは、テレビジョン放送番組である
請求項１に記載の情報処理装置。
【請求項８】
感情を表すタグのうちの、ユーザがコンテンツに対する登録を指示したタグに含まれるそのタグを特定する特定情報と、前記ユーザがタグの登録を指示したときの時刻を示す時刻情報とが含まれる登録情報の数に関する登録数情報を取得する取得ステップと、
前記コンテンツのシーン切替を検出し、検出した位置でコンテンツを複数のシーンに分割する分割ステップと、
前記シーン毎の時刻情報における所定の感情を表すタグの登録数情報の順位により前記シーンを抽出する抽出ステップと、
前記抽出ステップの処理により抽出されたシーンのみからなるコンテンツを再生する再生ステップと
を含む情報処理方法。
【請求項９】
感情を表すタグのうちの、ユーザがコンテンツに対する登録を指示したタグに含まれるそのタグを特定する特定情報と、前記ユーザがタグの登録を指示したときの時刻を示す時刻情報とが含まれる登録情報の数に関する登録数情報を取得する取得ステップと、
前記コンテンツのシーン切替を検出し、検出した位置でコンテンツを複数のシーンに分割する分割ステップと、
前記シーン毎の時刻情報における所定の感情を表すタグの登録数情報の順位により前記シーンを抽出する抽出ステップと、
前記抽出ステップの処理により抽出されたシーンのみからなるコンテンツを再生する再生ステップと
を含む処理をコンピュータに実行させるプログラム。
【発明の詳細な説明】
【技術分野】
【０００１】
本発明は、情報処理装置および方法、並びにプログラムに関し、特に、コンテンツの内容に対するユーザの評価に基づいて、コンテンツを編集できるようにした情報処理装置および方法、並びにプログラムに関する。
【背景技術】
【０００２】
近年、テレビジョン受像機やHDD（Hard Disk Drive）レコーダなどのコンテンツ再生装置がインターネットなどのネットワークに接続されることによって、複数のコンテンツ再生装置が同じコンテンツを再生するなど、コンテンツの共有がなされている。このような環境において、ユーザが、所定のコンテンツに対して評価を行う場合、コンテンツに対するユーザの印象を数値化して、コンテンツに付加することが提案されている。
【０００３】
例えば、楽曲データとともに印象度データを記録しておき、音声出力の際に、楽曲データの印象度データに基づいて決定される発光色で、発光部を発光させることが提案されている（例えば、特許文献１参照）。
【０００４】
これにより、ユーザは、再生中の楽曲データがどのように評価されているかを簡単に認識することができる。
【０００５】
しかしながら、上述した発明では、再生されているコンテンツ全体に対する評価を認識することはできても、そのコンテンツの内容における所定の部分（一部分）に対する評価を認識することは困難である。
【０００６】
そこで、最近、コンテンツの内容における所定の部分にタグを付加する技術が提案されている。この技術では、再生されているコンテンツにおいて、ユーザの気になった部分に対して、ユーザの操作に応じて、タグが登録（付加）される。
【０００７】
【特許文献１】特開２００６−３１７８７２号公報
【発明の開示】
【発明が解決しようとする課題】
【０００８】
しかしながら、上述した技術におけるタグには、ユーザの感情を表す情報等は含まれておらず、ユーザが、コンテンツの内容における所定の部分に対して具体的にどのような評価をしたのかを認識することは困難である。
【０００９】
このため、コンテンツの内容における所定の部分に対してなされた具体的な評価に応じてコンテンツを編集することができなかった。
【００１０】
本発明は、このような状況に鑑みてなされたものであり、コンテンツの内容における所定の部分に対するユーザの具体的な評価に対応してコンテンツを編集できるようにするものである。
【課題を解決するための手段】
【００１１】
本発明の一側面の情報処理装置は、感情を表すタグのうちの、ユーザがコンテンツに対する登録を指示したタグに含まれるそのタグを特定する特定情報と、前記ユーザがタグの登録を指示したときの時刻を示す時刻情報とが含まれる登録情報の数に関する登録数情報を取得する取得手段と、前記コンテンツのシーン切替を検出し、検出した位置でコンテンツを複数のシーンに分割する分割手段と、前記シーン毎の時刻情報における所定の感情を表すタグの登録数情報の順位により前記シーンを抽出する抽出手段と、前記抽出手段により抽出されたシーンのみからなるコンテンツを再生する再生手段とを含む。
【００１２】
ユーザによるタグの登録の指示に応じて、前記登録情報を生成する生成手段をさらにもうけるようにさせることができ、前記取得手段もは、前記生成手段により生成された前記登録情報を用いて、前記登録数情報を生成することにより取得させるようにすることができる。
【００１３】
前記取得手段には、他の装置から、他のユーザによるタグの登録の指示に応じて生成された前記登録数情報を取得させるようにすることができる。
【００１４】
前記取得手段には、複数の他のユーザによるタグの指示に応じて生成された前記登録情報の数を、前記特定情報毎に集計した数に関する登録数情報として取得させるようにすることができる。
【００１６】
前記抽出手段には、前記シーン毎の時刻情報における前記所定の感情を表すタグの登録数情報の順位が上位、または下位の前記シーン、または、前記上位または下位の前記シーン以外のシーンを抽出させるようにすることができる。
【００１７】
前記抽出手段により抽出されたシーンの、それぞれのシーンに含まれる画像からなるインデックスを生成するインデックス生成手段をさらに含ませるようにすることができ、前記再生手段には、前記インデックスのうち、選択された画像の属するシーンから、前記抽出手段により抽出されたシーンのみからなるコンテンツを再生させるようにすることができる。
【００１８】
タグの登録の対象のコンテンツは、テレビジョン放送番組とすることができる。
【００１９】
本発明の一側面の情報処理方法は、感情を表すタグのうちの、ユーザがコンテンツに対する登録を指示したタグに含まれるそのタグを特定する特定情報と、前記ユーザがタグの登録を指示したときの時刻を示す時刻情報とが含まれる登録情報の数に関する登録数情報を取得する取得ステップと、前記コンテンツのシーン切替を検出し、検出した位置でコンテンツを複数のシーンに分割する分割ステップと、前記シーン毎の時刻情報における所定の感情を表すタグの登録数情報の順位により前記シーンを抽出する抽出ステップと、前記抽出ステップの処理により抽出されたシーンのみからなるコンテンツを再生する再生ステップとを含む。
【００２０】
本発明の一側面のプログラムは、感情を表すタグのうちの、ユーザがコンテンツに対する登録を指示したタグに含まれるそのタグを特定する特定情報と、前記ユーザがタグの登録を指示したときの時刻を示す時刻情報とが含まれる登録情報の数に関する登録数情報を取得する取得ステップと、前記コンテンツのシーン切替を検出し、検出した位置でコンテンツを複数のシーンに分割する分割ステップと、前記シーン毎の時刻情報における所定の感情を表すタグの登録数情報の順位により前記シーンを抽出する抽出ステップと、前記抽出ステップの処理により抽出されたシーンのみからなるコンテンツを再生する再生ステップとを含む処理をコンピュータに実行させる。
【００２１】
本発明の一側面の情報処理装置および方法、並びにプログラムにおいては、感情を表すタグのうちの、ユーザがコンテンツに対する登録を指示したタグに含まれるそのタグを特定する特定情報と、前記ユーザがタグの登録を指示したときの時刻を示す時刻情報とが含まれる登録情報の数に関する登録数情報が取得され、前記コンテンツのシーン切替が検出され、検出された位置でコンテンツが複数のシーンに分割され、前記シーン毎の時刻情報における所定の感情を表すタグの登録数情報の順位により前記シーンが抽出され、抽出されたシーンのみからなるコンテンツが再生される。
【発明の効果】
【００２２】
本発明の一側面によれば、コンテンツに対する評価に基づいてコンテンツを編集することが可能となる。
【発明を実施するための最良の形態】
【００２３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２４】
本発明の一側面の情報処理装置は、感情を表すタグのうちの、ユーザがコンテンツに対する登録を指示したタグに含まれるそのタグを特定する特定情報と、前記ユーザがタグの登録を指示したときの時刻を示す時刻情報とが含まれる登録情報（例えば、図５のタグ登録データ）の数に関する登録数情報（例えば、図６のタグ登録数データ）を取得する取得手段（例えば、図２のタグ登録数データ生成部５６または受信制御部７２）と、前記コンテンツのシーン切替を検出し、検出した位置でコンテンツを複数のシーンに分割する分割手段（例えば、図２のシーン分割部８１）と、前記シーン毎の時刻情報における所定の感情を表すタグの登録数情報の順位により前記シーンを抽出する抽出手段（例えば、図２のシーン抽出部８２）と、前記抽出手段により抽出されたシーンのみからなるコンテンツを再生する再生手段（例えば、図２のダイジェスト再生部８４）とを含む。
【００２５】
ユーザによるタグの登録の指示に応じて、前記登録情報を生成する生成手段（例えば、図２のタグ登録データ生成部５５）をさらにもうけるようにさせることができ、前記取得手段もは、前記生成手段により生成された前記登録情報を用いて、前記登録数情報を生成することにより取得させるようにすることができる（例えば、図１０のステップＳ２０）。
【００２６】
前記取得手段には、他の装置から、他のユーザによるタグの登録の指示に応じて生成された前記登録数情報を取得させるようにすることができる（例えば、図１０のステップＳ２２）。
【００２７】
前記取得手段には、複数の他のユーザによるタグの指示に応じて生成された前記登録情報の数を、前記特定情報毎に集計した数に関する登録数情報として取得させるようにすることができる（例えば、図１０のステップＳ２２）。
【００２９】
前記抽出手段（例えば、図２のシーン抽出部８２）には、前記シーン毎の時刻情報における前記所定の感情を表すタグの登録数情報の順位が上位、または下位の前記シーン、または、前記上位または下位の前記シーン以外のシーンを抽出させるようにすることができる。
【００３０】
前記抽出手段により抽出されたシーンの、それぞれのシーンに含まれる画像からなるインデックスを生成するインデックス生成手段（例えば、図２のインデックス生成部８３）をさらに含ませるようにすることができ、前記再生手段には、前記インデックスのうち、選択された画像の属するシーンから、前記抽出手段により抽出されたシーンのみからなるコンテンツを再生させるようにすることができる。
【００３１】
タグの登録の対象のコンテンツは、テレビジョン放送番組とすることができる。
【００３２】
本発明の一側面の情報処理方法およびプログラムは、感情を表すタグのうちの、ユーザがコンテンツに対する登録を指示したタグに含まれるそのタグを特定する特定情報と、前記ユーザがタグの登録を指示したときの時刻を示す時刻情報とが含まれる登録情報の数に関する登録数情報を取得する取得ステップ（例えば、図１０のステップＳ２０またはステップＳ２２）と、前記コンテンツのシーン切替を検出し、検出した位置でコンテンツを複数のシーンに分割する分割ステップ（例えば、図１１のステップＳ５７）と、前記シーン毎の時刻情報における所定の感情を表すタグの登録数情報の順位により前記シーンを抽出する抽出ステップ（例えば、図１１のステップＳ５９）と、前記抽出ステップの処理により抽出されたシーンのみからなるコンテンツを再生する再生ステップ（例えば、図１１のステップＳ７２）とを含む。
【００３３】
以下、本発明の実施の形態について図を参照して説明する。
【００３４】
図１は、本発明が適用されるタグ登録システムの構成例を示す図である。
【００３５】
図１に示されるように、このタグ登録システムは、３つの表示装置１１−１乃至表示装置１１−３とタグ管理サーバ１２とが、インターネット１３や基地局１４を介して接続されることによって構成される。
【００３６】
表示装置１１−１は、例えば、テレビジョン受像機であり、表示装置１１−２は、例えば、パーソナルコンピュータである。また、表示装置１１−３は、例えば、携帯電話機などの携帯端末装置である。なお、インターネット１３や基地局１４に接続される表示装置は、３つに限らず、１つまたは２つでもよく、また、４つ以上でもよい。
【００３７】
表示装置１１−１乃至表示装置１１−３は、地上アナログ放送、地上ディジタル放送、BS(Broadcasting Satellite)／CS(Communications Satellite)ディジタル放送によって放送されるコンテンツ、またはインターネット１３や基地局１４を介して、図示せぬコンテンツサーバから配信されるコンテンツを受信し、ユーザに視聴させると共に、受信したコンテンツを録画、再生し、さらに、録画したコンテンツを編集する機能を有する。
【００３８】
なお、以下の説明では、コンテンツは、テレビジョン放送番組であることとする。ただし、コンテンツは、テレビジョン放送番組以外の動画像からなるコンテンツでもよいし、その動画像は音楽等であってもよい。
【００３９】
また、表示装置１１−１乃至表示装置１１−３は、それぞれのプラットフォームにおいて動作するアプリケーション（例えば、テレビジョン受像機の場合にはアプリキャスト（登録商標）、パーソナルコンピュータの場合にはWebブラウザ、携帯電話機の場合にはｉアプリ（登録商標）など）によって、表示装置１１−１乃至表示装置１１−３のそれぞれを操作するユーザが視聴しているコンテンツの内容の所定の部分に対して、様々な感情を表すデータであるタグを登録し、コンテンツに対して登録されたタグに関する情報を、タグ管理サーバ１２に送信する。
【００４０】
ここで、コンテンツに対するタグの登録とは、後述する図５のタグ登録データが生成されることと等価である。
【００４１】
なお、表示装置１１−１乃至表示装置１１−３のユーザは、表示装置１１−１乃至表示装置１１−３によってコンテンツを視聴しながら、その表示装置１１−１乃至表示装置１１−３を操作することにより、コンテンツに対するタグの登録を指示してもよいし、表示装置１１−１乃至表示装置１１−３とは別の装置によってコンテンツを視聴しながら、その表示装置１１−１乃至表示装置１１−３を操作することにより、コンテンツに対するタグの登録を指示してもよいし、さらには、表示装置１１−１乃至表示装置１１−３によって録画したコンテンツを視聴しながら、表示装置１１−１乃至表示装置１１−３、または、別の装置を操作することにより、コンテンツに対するタグを登録するようにしてもよい。
【００４２】
以下、表示装置１１−１乃至表示装置１１−３を、個々に区別する必要がない場合、単に、表示装置１１と称する。
【００４３】
タグ管理サーバ１２は、表示装置１１から送信されてくるタグに関する情報を記憶（管理）する。タグ管理サーバ１２に記憶されたタグに関する情報は、表示装置１１−１乃至表示装置１１−３によって共有される。
【００４４】
図２は、表示装置１１の機能的な構成例を示すブロック図である。
【００４５】
表示装置１１は、操作入力部３１、記憶部３２、制御部３３、通信部３４、表示部３５、音声出力部３６、および振動部３７を有する。
【００４６】
また、表示装置１１には、必要に応じてドライブ３８を接続することができる。ドライブ３８には、磁気ディスク、光ディスク、光磁気ディスク、または半導体メモリなどのリムーバブルメディア３９が適宜装着される。ドライブ３８は、制御部３３に制御されて、装着されているリムーバブルメディア３９からコンピュータプログラムやデータを読み出し、必要に応じて記憶部３２にインストールするか記憶させる。
【００４７】
操作入力部３１は、表示装置１１に対する指示等を入力するときにユーザによって操作され、その操作内容を示す操作信号を制御部３３に供給する。
【００４８】
例えば、操作入力部３１は、表示装置１１がテレビジョン受像機である場合、リモートコントローラから構成され、表示装置１１がパーソナルコンピュータである場合、キーボードやマウスから構成される。また、例えば、操作入力部３１は、表示装置１１が携帯電話機である場合、発呼のためのダイヤル番号などを入力するキーから構成される。また、操作入力部３１は、後述する表示部３５に重ねて設けられるタッチパネルであってもよい。さらに、操作入力部３１は、表示装置１１がネットワークに接続されるゲーム機である場合、そのゲーム機に有線または無線で接続されるコントローラであってもよい。
【００４９】
記憶部３２は、例えば、フラッシュメモリなどのランダムアクセスが可能な記憶媒体からなり、各種のデータやコンピュータプログラムなどを記憶する。
【００５０】
記憶部３２は、様々な種類の感情を表すデータであるタグを記憶している。ここで、タグは、記憶部３２に予め記憶させておくか、タグ管理サーバ１２等のサーバから表示装置１１にダウンロードして、記憶部３２に記憶させることができる。
【００５１】
また、記憶部３２は、ユーザによって登録が指示されたタグを特定する特定情報としてのタグID（Identification）と、そのタグの登録が指示された時刻を表す時刻情報とが対応付けられたデータであるタグ登録データを記憶する。
【００５２】
さらに、記憶部３２は、ユーザによって登録が指示されたタグの種類毎の数（タグ登録数）を示すデータであるタグ登録数データを記憶する。
【００５３】
また、記憶部３２は、後述する録画部６２により録画されたコンテンツの画像、および音声からなるコンテンツデータを記憶する。さらに、記憶部３２は、後述する編集部６３によりコンテンツデータを編集情報であるダイジェストインデックスデータを記憶する。
【００５４】
ここで、図３乃至図６を参照して、記憶部３２に記憶されるタグ、タグ登録データ、およびタグ登録数データの詳細について説明する。
【００５５】
図３は、タグの構成の例を示す図である。
【００５６】
タグは、タグID、名称、アイコンイメージデータ、色データ、音データ、および振動パターンデータから構成される。
【００５７】
タグIDは、タグを特定するための情報である。具体的には、例えば、タグIDは、001乃至999の３桁の数値とされる。なお、タグIDは、数値に限らず、文字列などであってもよい。
【００５８】
名称は、タグによって表される感情（の種類）を表すテキストデータとされる。より具体的には、例えば、名称は、「素晴らしい」という感情を表す「NICE」や、「不愉快だ」という感情を表す「BAD」などとされる。例えば、名称が「NICE」のタグは、「素晴らしい」という感情を表す。また、例えば、名称が「BAD」のタグは、「不愉快だ」という感情を表す。タグには、その他、各種の感情を表すタグがある。
【００５９】
アイコンイメージデータは、タグが表す感情を表現するアイコンを表示するための画像データである。例えば、「素晴らしい」という感情を表すタグ（名称が「NICE」であるタグ）のアイコンイメージデータによれば、人の笑顔を模したアイコンが表示される。また、「不愉快だ」という感情を表すタグ（名称が「BAD」であるタグ）のアイコンイメージデータによれば、人の不愉快な顔の表情を模したアイコンが表示される。
【００６０】
色データは、アイコンイメージデータによって表示されるアイコンの色を指定するための情報である。色データとしては、タグが表す感情を想起するような色を表すデータが採用される。例えば、「素晴らしい」という感情を想起する色としては、黄色を採用することができ、「不愉快だ」という感情を想起する色としては、青色を採用することができる。
【００６１】
音データは、タグが表す感情を表現する音を出力するための音声データである。例えば、「素晴らしい」という感情を表すタグでは、拍手の音の音声データを採用することができる。また、「不愉快だ」という感情を表すタグでは、ブーイングの声の音声データを採用することができる。
【００６２】
振動パターンデータは、所定のパターンの振動を発生させるためのデータである。例えば、振動パターンデータによる振動のパターンには、１秒に２回振動する「パターンＡ」、１秒に１回振動する「パターンＢ」、音データにあわせて振動する「パターンＣ」、および全く振動しない「パターンＤ」の４種類のパターンの振動がある。
【００６３】
図４は、タグの種類の例を示す図である。
【００６４】
図４に示されるように、タグIDが001であるタグは、名称として「素晴らしい」という感情を表す「NICE」を、アイコンイメージデータとして、人の笑顔を模した画像データを、色データとして、黄色を、音データとして、拍手の音を、振動パターンデータとして、振動パターンＡを、それぞれ有し、「素晴らしい」という感情を表す。
【００６５】
タグIDが002であるタグは、名称として「不愉快だ」という感情を表す「BAD」を、アイコンイメージデータとして、人の不愉快な顔を模した画像データを、色データとして、青色を、音データとして、ブーイングの声を、振動パターンデータとして、振動パターンＢを、それぞれ有し、「不愉快だ」という感情を表す。
【００６６】
タグIDが003であるタグは、名称として「かっこいい」という感情を表す「COOL!」を、アイコンイメージデータとして、サングラスをかけた人の顔を模した画像データを、色データとして、緑色を、音データとして、口笛の音を、振動パターンデータとして、振動パターンＣを、それぞれ有し、「かっこいい」という感情を表す。
【００６７】
そして、タグIDが004であるタグは、名称として「きわどくて判断し難い」という感情を表す「微妙」を、アイコンイメージデータとして、困惑した人の顔を模した画像データを、色データとして、灰色を、振動パターンデータとして、振動パターンＤを、それぞれ有し、「きわどくて判断し難い」という感情を表す。なお、タグIDが004であるタグには、音データは含まれていない。
【００６８】
タグの種類は、上述した４種類に限定されず、また、ユーザによって後から追加されるようにしてもよい。
【００６９】
図５は、タグ登録データの構成例を示す図である。
【００７０】
タグ登録データは、地域情報、チャンネル情報、時刻情報、タグID、およびユーザIDから構成される。
【００７１】
地域情報は、タグの登録の対象のコンテンツ（ユーザが視聴しているコンテンツ）が放送されている（された）地域を示す情報である。例えば、地域情報は、タグの登録の対象のコンテンツが放送されている都道府県名や市区町村名とされる。
【００７２】
チャンネル情報は、タグの登録の対象のコンテンツが放送されている（された）チャンネルを示す情報である。例えば、チャンネル情報は、タグの登録の対象のコンテンツが放送されているチャンネルを表す数字とされる。
【００７３】
時刻情報は、タグの登録の対象のコンテンツに対するタグの登録が指示された時刻を示す。時刻情報は、例えば、秒単位での日時（年、月、日、時、分、秒）を示す。
【００７４】
タグ登録データにおけるタグIDは、タグ（図３）におけるタグIDと同じであり、ユーザによってコンテンツに対する登録が指示されたタグに含まれるタグIDである。
【００７５】
ユーザIDは、例えば、表示装置１１のユーザの名前等のユーザを特定する情報である。ユーザIDは、表示装置１１のユーザが操作入力部３１を操作することにより設定される。
【００７６】
図６は、タグ登録数データの構成例を示す図である。
【００７７】
タグ登録数データは、地域情報、チャンネル情報、単位時間情報、およびタグID毎のタグ登録数から構成される。
【００７８】
タグ登録数データにおける地域情報は、タグ登録データにおける地域情報と同じであって、コンテンツが放送されている地域を示す情報である。また、タグ登録数データにおけるチャンネル情報は、タグ登録データにおけるチャンネル情報と同じであって、コンテンツが放送されているチャンネルを示す情報である。
【００７９】
単位時間情報は、所定の単位時間を示す情報と、その単位時間の開始の時刻（以下、適宜、スタート時刻という）を示す情報とからなる、ある時間帯を表す。例えば、2007年2月10日10時24分からの１分間の時間帯を表す単位時間情報は、スタート時刻が2007年2月10日10時24分であることを示す情報と、単位時間が１分間であることを示す情報とからなる。また、例えば、2007年2月10日10時30分からの10分間の時間帯を表す単位時間情報は、スタート時刻が2007年2月10日10時30分であることを示す情報と、単位時間が10分間であることを示す情報とからなる。
【００８０】
タグID毎のタグ登録数は、単位時間情報が表す時間帯（例えば、スタート時刻が2007年2月10日10時24分であり、単位時間が１分間であれば、2007年2月10日10時24分から１分間の時間帯）に登録が指示されたタグの種類毎の数を示す。具体的には、図６に示されるように、タグID毎のタグ登録数は、スタート時刻から単位時間の時間帯に登録が指示されたタグIDが001のタグのタグ登録数、タグIDが002のタグのタグ登録数、…、タグIDがＮ（Ｎは001乃至999の数）のタグのタグ登録数からなる。
【００８１】
例えば、単位時間情報が、スタート時刻が2007年2月10日10時30分を示す情報と、単位時間が10分間であることを示す情報とからなる場合、タグID毎のタグ登録数は、2007年2月10日10時30分乃至10時40分の10分間（の時間帯）に登録が指示されたタグの種類毎の数を示す。
【００８２】
図２に戻り、制御部３３は、例えば、マイクロプロセッサなどからなり、表示装置１１全体を制御する。制御部３３の詳細については後述する。
【００８３】
通信部３４は、インターネット１３などのネットワークを介して、または基地局１４との無線による通信によって、各種のデータを送受信する。例えば、通信部３４は、表示装置１１がテレビジョン受像機やパーソナルコンピュータである場合、有線通信を行うネットワークインターフェースとされ、インターネット１３を介して、各種のデータを送受信する。また、例えば、通信部３４は、表示装置１１が携帯電話機である場合、無線通信を行うアンテナを含むように構成され、基地局１４との無線による通信によって、各種のデータを送受信する。
【００８４】
表示部３５は、例えば、LCD（Liquid Crystal Display）または有機EL（Electro Luminescence）などの表示デバイスからなり、制御部３３から供給される画像データに基づいて、各種の画像を表示する。
【００８５】
音声出力部３６は、スピーカ等からなり、制御部３３の制御の下に、制御部３３から供給された音声信号に応じた音声を出力する。
【００８６】
振動部３７は、例えば、偏心されたおもりが付加されたモータによって構成される。振動部３７は、制御部３３の制御の下に、制御部３３から供給された振動のパターンを示す信号に応じて振動することで、表示装置１１の一部または全体を振動させる。例えば、振動部３７は、表示装置１１がテレビジョン受像機である場合、操作入力部３１であるリモートコントローラの内部に設けられ、リモートコントローラ全体を振動させる。また、例えば、振動部３７は、表示装置１１が携帯電話機である場合、表示装置１１の筐体の内部に設けられ、表示装置１１全体を振動させる。
【００８７】
制御部３３は、図示せぬCPU（Central Processing Unit）がコンピュータプログラムを実行することにより、選択部５１、タグ読み出し部５２、時刻情報取得部５３、時計部５４、タグ登録データ生成部５５、タグ登録数データ生成部５６、通信制御部５７、表示制御部５８、音声出力制御部５９、および振動制御部６０として機能する。
【００８８】
選択部５１には、操作入力部３１から操作信号が供給される。選択部５１は、操作入力部３１からの操作信号に応じて、タグの登録の対象のコンテンツが放送されている地域およびチャンネルを選択する。
【００８９】
より具体的には、選択部５１は、操作入力部３１から供給される、タグの登録の対象のコンテンツが放送されている地域およびチャンネルを選択するユーザの操作に対応する操作信号に基づいて、その地域およびチャンネルを選択し、選択された地域およびチャンネルを示す情報である地域情報およびチャンネル情報を、タグ登録データ生成部５５および表示制御部５８に供給する。
【００９０】
タグ読み出し部５２には、操作入力部３１から操作信号が供給される。タグ読み出し部５２は、操作入力部３１からの操作信号に応じて、ユーザにより登録が指示された（感情を表す）タグを読み出す。
【００９１】
より具体的には、タグ読み出し部５２は、操作入力部３１から供給される、タグの登録を指示するユーザの操作に対応する操作信号に基づいて、記憶部３２に記憶されている複数種類の感情を表すタグの中から、登録が指示された（感情を表す）タグを読み出す。
【００９２】
タグ読み出し部５２は、記憶部３２から読み出したタグ（図３）のタグIDを、タグ登録データ生成部５５に供給し、アイコンイメージデータと色データとを、タグIDに関連付けて表示制御部５８に供給する。また、タグ読み出し部５２は、記憶部３２から読み出したタグの音データを音声出力制御部５９に供給するとともに、振動パターンデータを振動制御部６０に供給する。
【００９３】
また、タグ読み出し部５２は、操作入力部３１から供給される、タグの登録を指示するユーザの操作に対応する操作信号に応じて、時刻情報取得部５３に、タグの登録が指示された時刻を取得させるための指示を供給する。
【００９４】
時刻情報取得部５３は、タグ読み出し部５２からの指示に基づいて、時計部５４から、タグの登録が指示された時刻（現在時刻）を示す時刻情報を取得する。時刻情報取得部５３は、時計部５４から取得した時刻情報をタグ登録データ生成部５５に供給する。
【００９５】
時計部５４は、現在時刻の日時（年、月、日、時、分、秒）を出力し、時刻情報として時刻情報取得部５３およびタグ登録数データ生成部５６に供給する。
【００９６】
タグ登録データ生成部５５は、図５のタグ登録データを生成し、記憶部３２に供給する。より詳細には、タグ登録データ生成部５５は、タグ読み出し部５２からタグIDが供給されると、そのタグIDと、選択部５１から供給された地域情報およびチャンネル情報、時刻情報取得部５３から供給された時刻情報、並びに予め設定されたユーザIDとを基に、図５のタグ登録データを生成し、記憶部３２に供給する。
【００９７】
タグ登録数データ生成部５６は、記憶部３２のタグ登録データを基に、例えば、単位時間毎に、図６のタグ登録数データを生成し、記憶部３２、通信制御部５７、および表示制御部５８に供給する。
【００９８】
より具体的には、タグ登録数データ生成部５６は、例えば、時計部５４から出力される現在時刻を、単位時間の精度で表した時刻をスタート時刻として、そのスタート時刻から単位時間の間（時間帯）の時刻を示す時刻情報を有するタグ登録データ（以下、適宜、時刻一致タグ登録データという）を記憶部３２から検索する。
【００９９】
さらに、タグ登録数データ生成部５６は、時刻一致タグ登録データを、地域情報およびチャンネル情報が同一のタグ登録データのグループに分け、各グループについて、各値のタグIDを有するタグ登録データの数（タグ登録数）をカウントする。
【０１００】
そして、タグ登録数データ生成部５６は、各グループについて、そのグループに対応する地域情報およびチャンネル情報、スタート時刻および単位時間を表す単位時間情報、並びに各値のタグIDを有するタグ登録データのタグ登録数を、その順で配置することにより、図６のタグ登録数データを生成する。
【０１０１】
例えば、単位時間が１分間であり、時計部５４が出力する現在時刻を、単位時間の精度で表したスタート時刻が、2007年2月10日10時24分である場合において、記憶部３２に、地域情報およびチャンネル情報がそれぞれ同じで、かつスタート時刻である2007年2月10日10時24分から単位時間である１分間の時間帯内の時刻を示す時刻情報を有するタグ登録データが10個だけ記憶されており、その10個のタグ登録データのうち、タグIDが001であるものが６個、タグIDが003であるものが１個、タグIDが004であるものが３個であったときには、タグ登録数データ生成部５６は、スタート時刻である2007年2月10日10時24分を示す情報と、単位時間が１分間であることを示す情報とからなる単位時間情報、タグIDが001のタグ登録数である「６」、タグIDが003のタグ登録数である「１」、およびタグIDが004のタグ登録数である「３」を含むタグ登録数データを生成する。なお、１分間などの単位時間は、例えば、ユーザによって予め設定されるようにできる。
【０１０２】
なお、スタート時刻からの単位時間の時間帯を、以下、適宜、スロットという。
【０１０３】
通信制御部５７は、送信制御部７１および受信制御部７２より構成され、通信部３４による、インターネット１３などのネットワークを介した通信や基地局１４との無線による各種のデータの送信または受信を制御する。
【０１０４】
送信制御部７１は、通信部３４の送信を制御する。すなわち、送信制御部７１は、各種のデータを通信部３４に供給し、通信部３４に、ネットワークを介して各種のデータを送信させる。
【０１０５】
例えば、送信制御部７１は、通信部３４に、タグ登録数データ生成部５６から供給されたタグ登録数データを、タグ管理サーバ１２に対して送信させる。
【０１０６】
受信制御部７２は、通信部３４の受信を制御する。すなわち、受信制御部７２は、通信部３４に、ネットワークを介して送信されてくる各種のデータを受信させ、通信部３４が受信したデータを取得する。
【０１０７】
例えば、受信制御部７２は、通信部３４に、タグ管理サーバ１２から送信されてくる、他のユーザによって登録が指示されたタグのタグ登録数に応じた値を含むデータ（例えば、後述する他ユーザタグ登録数データ等）を受信させる。受信制御部７２は、通信部３４において受信されたデータを表示制御部５８に供給する。
【０１０８】
表示制御部５８は、選択部５１から供給される地域情報およびチャンネル情報、タグ読み出し部５２から供給されるアイコンイメージデータおよび色データ、タグ登録数データ生成部５６から供給されるタグ登録数データ、並びに通信制御部５７（受信制御部７２）から供給される他ユーザタグ登録数データに応じて、表示部３５の表示を制御する。例えば、表示制御部５８は、タグ読み出し部５２から供給されたアイコンイメージデータと色データとに基づいて、表示部３５に所定のアイコンを表示させる。
【０１０９】
また、表示制御部５８は、操作入力部３１の操作に基づいて選択部５１により選択されたチャンネルにおいて放送されており、チューナ６１で受信されたコンテンツを表示部３５に表示する。また、表示制御部５８は、編集部６３により録画部６２により録画されたコンテンツが再生されるとき、または、録画されたコンテンツが編集されたコンテンツが再生されるとき、再生されるコンテンツを表示部３５に表示する。表示制御部５８による表示の制御の詳細については後述する。
【０１１０】
チューナ６１は、操作入力部３１の操作内容に対応して選択部５１により選択されたチャンネルで放送される番組を図示せぬ受信アンテナを介して受信し、表示制御部５８、および録画部６２に供給する。録画部６２は、操作入力部３１が操作されて録画が指示されると、チューナ６１より供給されてくるコンテンツデータを記憶部３２に録画する。
【０１１１】
音声出力制御部５９は、音声出力部３６の音声出力を制御する。すなわち、音声出力制御部５９は、タグ読み出し部５２から供給された音データに基づいて、音声出力部３６に音声を出力させる。
【０１１２】
振動制御部６０は、振動部３７の振動を制御する。すなわち、振動制御部６０は、タグ読み出し部５２から供給された振動パターンデータに基づいて、振動部３７を振動させる。
【０１１３】
編集部６３は、シーン分割部８１、シーン抽出部８２、インデックス生成部８３、およびダイジェスト再生部８４から構成されており、記憶部３２に記憶されたコンテンツデータを、タグ登録数データに基づいて編集し、編集情報であるダイジェストインデックスデータを生成し、記憶部３２に記憶させると共に、ダイジェストインデックスデータに基づいて、編集されたコンテンツとしてダイジェストコンテンツを再生し、表示制御部５８に供給する。
【０１１４】
シーン分割部８１は、編集が指定されたコンテンツの全シーン変更位置を検出し、シーン変更位置間をシーンとして分割する。シーン抽出部８２は、各シーンの全てのタグIDのタグ登録数により順位を求め、上位となるシーンのみを抽出する。インデックス生成部８３は、シーン抽出部８２により抽出されたシーンに含まれる静止画像をサムネイル表示するインデックス画像を表示するためのダイジェストインデックスデータを生成する。ダイジェスト再生部８４は、ダイジェスト再生が指示されたコンテンツのダイジェストインデックスデータに基づいて、インデックス画像を生成すると共に、ダイジェスト再生が指示されたコンテンツデータを、再生開始位置として指定されたシーンより順次読み出して表示制御部５８に供給し、表示部３５に表示させる。
【０１１５】
図７は、タグ管理サーバ１２のハードウェアの構成例を示すブロック図である。
【０１１６】
図７のタグ管理サーバ１２は、CPU（Central Processing Unit）９１，ROM（Read Only Memory）９２，RAM（Random Access Memory）９３，バス９４、入出力インターフェース９５、入力部９６、出力部９７、記憶部９８、通信部９９、ドライブ１００、リムーバブルメディア１０１から構成される。
【０１１７】
CPU９１は、ROM９２、または記憶部９８に記憶されているプログラムにしたがって各種の処理を実行する。RAM９３には、CPU９１が実行するプログラムやデータなどが適宜記録される。これらのCPU９１、ROM９２、およびRAM９３は、バス９４により相互に接続されている。
【０１１８】
CPU９１にはまた、バス９４を介して入出力インターフェース９５が接続されている。入出力インターフェース９５には、キーボード、マウス、マイクロフォンなどよりなる入力部９６、ディスプレイ、スピーカなどよりなる出力部９７が接続されている。CPU９１は、入力部９６から入力される指令に対応して各種の処理を実行する。そして、CPU９１は、処理の結果を出力部９７に出力する。
【０１１９】
入出力インターフェース９５に接続されている記憶部９８は、例えばハードディスクからなり、CPU９１が実行するプログラムや、表示装置１１に送信するデータを記憶する。通信部９９は、インターネット１３やローカルエリアネットワークなどのネットワーク、または基地局１４を介して、表示装置１１などの外部の装置と通信する。
【０１２０】
入出力インターフェース９５に接続されているドライブ１００は、磁気ディスク、光ディスク、光磁気ディスク、あるいは半導体メモリなどのリムーバブルメディア１０１が装着されたとき、それらを駆動し、そこに記録されているプログラムやデータなどを取得する。取得されたプログラムやデータは、必要に応じて記憶部９８に転送され、記憶される。
【０１２１】
図８は、プログラムを実行するタグ管理サーバ１２のCPU９１により実現される機能的な構成例を示すブロック図である。
【０１２２】
図８に示されるように、タグ管理サーバ１２は、CPU９１がプログラムを実行することにより、受信制御部１１１、タグ登録数集計部１１２、および送信制御部１１３等として機能する。
【０１２３】
受信制御部１１１は、通信部９９（図７）の受信を制御する。例えば、受信制御部１１１は、表示装置１１から送信されてきた各種のデータを通信部９９に受信させる。より具体的には、例えば、受信制御部１１１は、表示装置１１それぞれから送信されてきたタグ登録数データを、通信部９９に受信させ、タグ登録数集計部１１２に供給する。
【０１２４】
タグ登録数集計部１１２は、受信制御部１１１から供給されたタグ登録数データを基に、同一の時間帯に、同一の地域情報およびチャンネル情報で特定されるコンテンツに対して登録が指示されたタグの数を、タグID毎に集計する。より具体的には、タグ登録数集計部１１２は、表示装置１１それぞれから送信されてきたタグ登録数データのうち、地域情報、チャンネル情報、および単位時間情報が同一のタグ登録数データを集計対象として、その集計対象のタグ登録数データの、タグID毎のタグ登録数をそれぞれ集計する。タグ登録数集計部１１２は、集計されたタグID毎のタグ登録数のそれぞれを、集計対象のタグ登録数データの地域情報、チャンネル情報、および単位時間情報と対応付けた、全ユーザタグ登録数データを生成し、記憶部９８（図７）および送信制御部１１３に供給する。ここで、全ユーザタグ登録数データの構造は、図６のタグ登録数データと同じであるものとする。
【０１２５】
送信制御部１１３は、通信部９９の送信を制御する。例えば、送信制御部１１３は、各種のデータを通信部９９に送信させる。例えば、送信制御部１１３は、タグ登録数集計部１１２から供給された全ユーザタグ登録数データに基づいたデータを通信部９９（図７）に供給し、送信させる。
【０１２６】
より具体的には、例えば、送信制御部１１３は、全ユーザタグ登録数データにおけるタグID毎のタグ登録数を、全ユーザタグ登録数データを生成する基となったタグ登録数データを送信してきた表示装置１１の数で割った値をタグID毎のタグ登録数として有する平均タグ登録数データを通信部９９に供給し、表示装置１１に対して送信させる。
【０１２７】
また、例えば、送信制御部１１３は、タグ登録数データを送信してきた複数の表示装置１１のうちの１つを注目装置として、全ユーザタグ登録数データにおけるタグID毎のタグ登録数から、注目装置から送信されてきたタグ登録数データのタグID毎のタグ登録数を除いた数を、タグ登録数データを送信してきた全ての表示装置１１から、注目装置を除いた数（すなわち、タグ登録数データを送信してきた全ての表示装置１１の数から１を減じた数）で割った値を、タグID毎のタグ登録数として有する、他ユーザタグ登録数データを、通信部９９に供給し、注目装置に対して送信させる。すなわち、タグ管理サーバ１２は、注目装置のユーザ以外の他のユーザによって登録が指示された、同一の感情を表すタグの数の平均値を、注目装置に送信する。
【０１２８】
次に、表示装置１１における表示制御部５８（図２）の表示の制御について説明する。
【０１２９】
表示制御部５８は、例えば、操作入力部３１が、タグの登録を行うモード（タグ登録モード）を選択するように操作されると、タグの登録が指示された時刻と、その時刻におけるそのタグのタグ登録数とに応じた位置に、タグに対応するアイコンを表示するためのタグ表示ウィンドウを、表示部３５に表示させる。
【０１３０】
さらに、操作入力部３１が地域情報およびチャンネル情報を入力するように操作されると、表示制御部５８は、操作入力部３１から選択部５１を介して供給される地域情報およびチャンネル情報をタグ表示ウィンドウに表示させる。
【０１３１】
図９は、表示制御部５８によって表示部３５に表示されるタグ表示ウィンドウの例を示す図である。
【０１３２】
図９に示されるように、表示部３５には、タグ表示ウィンドウ１３１およびコンテンツ表示ウィンドウ１３２が設けられている。タグ表示ウィンドウ１３１は、チャンネル選択領域１５１、アイコンボタン１５２、アイコン表示領域１５３、ポインタ１５４、メニューボタン１５５等（のGUI（Graphical User Interface））から構成される。タグ表示ウィンドウ１３１は、例えば、コンテンツ表示ウィンドウ１３２により今現在選択されているコンテンツが、録画中であるとき表示される。図９においては、コンテンツ表示ウィンドウ１３２の左下部で示される「Ｒｅｃ」と表示された録画マーク１３２ａが今現在表示されているコンテンツが録画中であることを表しており、このとき、録画部６２は、チューナ６１より供給されてくるコンテンツデータを記憶部３２に順次録画している。尚、この録画マーク１３２ａは、例えば、録画されたコンテンツデータが再生されるとき、「ｐｌａｙ」と表示された再生マークとして表示され、録画されたコンテンツデータがダイジェスト再生されるとき、「Ｄｉｇｅｓｔ」と表示されたダイジェスト再生マークとして表示される。
【０１３３】
図９において、タグ表示ウィンドウ１３１の右上には、現在時刻が2007年2月10日土曜日10時24分であることを示す「2007/2/10（土）10:24」、タグの登録の対象のコンテンツ（選択部５１が表示制御部５８に供給する地域情報およびチャンネル情報で特定されるコンテンツ）が放送されている地域が東京都であることを示す「東京都」、および、そのコンテンツが放送されているチャンネルが81チャンネルであることを示す「081ch」とが表示されている。
【０１３４】
チャンネル選択領域１５１は、選択部５１から表示制御部５８に供給されるチャンネル情報が表すチャンネルが表示される領域である。図９においては、チャンネル選択領域１５１のチャンネルは、タグ表示ウィンドウ１３１の右上に表示されているチャンネルと同じ「081」となっている。
【０１３５】
ここで、チャンネル選択領域１５１に表示されているチャンネルで現在放送されている番組（コンテンツ）が、タグの登録の対象のコンテンツ、または、タグの登録の状態を表示する対象のコンテンツ（以下、適宜、対象コンテンツという）となる。
【０１３６】
アイコンボタン１５２は、ユーザによって登録が指示される候補となるタグを表すボタンである。アイコンボタン１５２の画像は、タグのアイコンイメージデータに基づいて表示される。なお、タグ表示ウィンドウ１３１に表示されるアイコンボタン１５２の種類は、後述するメニューボタン１５５が選択されることで変更される。
【０１３７】
アイコン表示領域１５３は、記憶部３２に記憶されたタグ登録数データ（図６）（平均タグ登録数データや他ユーザタグ登録数データを必要に応じて含む）に応じて、タグ読み出し部５２により読み出されたタグのアイコンイメージデータに基づくアイコンが表示される領域である。アイコン表示領域１５３において、横軸は、時間軸であり、時刻を表す。縦軸は、対象コンテンツに対して登録されたタグの数、すなわち、タグ登録データが生成された数を表す。
【０１３８】
ここで、図９では、時間軸が10時00分乃至11時00分の１時間を表しているが、時間軸によって表される時間は１時間単位以外の時間単位であってもよい。また、時間軸が表す時間は、例えば、ユーザによって、タグ登録モードが選択された時刻から１時間等の所定の時間とすることができる。
【０１３９】
ポインタ１５４は、現在時刻を表し、アイコン表示領域１５３の時間軸上の位置のうちの現在時刻を表す位置に表示され、時刻の経過に応じて、図９中、右方向に移動する。タグ表示ウィンドウ１３１の右上に表示されている現在時刻は、ポインタ１５４が位置する時刻と同じである。
【０１４０】
メニューボタン１５５は、タグ表示ウィンドウ１３１上の表示に関する各種の設定を決定または変更するときに選択される。例えば、メニューボタン１５５は、対象コンテンツが放送されている地域またはチャンネルを決定するときや、ユーザによって選択されるアイコンボタン１５２の種類を変更するときに選択される。
【０１４１】
このようなタグ表示ウィンドウ１３１が表示されている場合において、ユーザが、対象コンテンツに対して抱いた感情を表現するアイコンボタン１５２を、操作入力部３１によって操作する。この場合、操作入力部３１は、ユーザの操作に応じたアイコンボタン１５２に対応する感情を表すタグの登録を指示する操作信号を、制御部３３に供給する。
【０１４２】
制御部３３では、操作入力部３１からの操作信号が、タグ読み出し部５２に供給される。タグ読み出し部５２は、操作入力部３１からの、タグの登録を指示する操作信号に従い、そのタグを、記憶部３２から読み出し、そのタグIDを、タグ登録データ生成部５５に供給する。タグ登録データ生成部５５は、タグ読み出し部５２からのタグのタグIDの供給に応じて、そのタグを、対象コンテンツに対して登録する。
【０１４３】
すなわち、いま、タグ読み出し部５２からタグ登録データ生成部５５にタグIDが供給されるタグを、対象タグということとすると、タグ登録データ生成部５５は、タグ読み出し部５２からの対象タグのタグIDの供給をトリガとして、対象コンテンツについて、対象タグのタグIDを有するタグ登録データ（図５）を生成する。
【０１４４】
具体的には、タグ登録データ生成部５５は、選択部５１から供給される地域情報およびチャンネル情報を、対象コンテンツの地域情報およびチャンネル情報として認識するとともに、タグ読み出し部５２からの対象タグのタグIDが供給されたときに時刻情報取得部５３から供給された時刻情報を、タグの登録が指示された時刻を表す時刻情報として認識する。
【０１４５】
さらに、タグ登録データ生成部５５は、対象コンテンツの地域情報およびチャンネル情報、時刻情報取得部５３からの時刻情報、タグ読み出し部５２からの対象タグのタグID、並びにユーザIDを、その順で並べることにより、対象コンテンツについてのタグ登録データを生成し、記憶部３２に供給して記憶させる。
【０１４６】
一方、タグ登録数データ生成部５６は、単位時間が経過する毎に、対象コンテンツについて、記憶部３２に記憶されたタグ登録データを参照して、スロット、つまり、スタート時刻から単位時間の時間帯を表す単位時間情報を有する図６のタグ登録数データを生成し、表示制御部５８に供給する。
【０１４７】
表示制御部５８は、以上のようにして、タグ登録数データ生成部５６から供給される、対象コンテンツについてのタグ登録数データに基づき、そのタグ登録数データ（図６）が有する単位時間情報のスタート時刻を表す横軸上の位置と、同じく、そのタグ登録数データが有するタグ登録数を表す縦軸上の位置とで特定されるアイコン表示領域１５３上の位置に、アイコンを表示させる。
【０１４８】
すなわち、表示制御部５８は、タグ登録数データ生成部５６からの対象コンテンツについてのタグ登録数データの中の、アイコン表示領域１５３の横軸が表す時間帯の時刻がスタート時刻となっているタグ登録数データを、表示対象タグ登録数データとして選択し、そのうちの１つを、注目タグ登録数データとする。
【０１４９】
さらに、表示制御部５８は、注目タグ登録数データのタグID毎のタグ登録数のうちの１つ、すなわち、例えば、値が最も大のタグ登録数（以下、適宜、最大登録数という）のタグIDを、表示用タグIDとして選択し、その表示用タグIDによって特定されるタグのアイコンイメージデータを、記憶部３２から、タグ読み出し部５２を介して取得する。
【０１５０】
そして、表示制御部５８は、注目タグ登録数データが有する単位時間情報のスタート時刻を表す横軸上の位置と、表示用タグIDのタグ登録数である最大登録数を表す縦軸上の位置とで特定されるアイコン表示領域１５３上の位置に、表示用タグIDによって特定されるタグに対応するアイコンを、タグ読み出し部５２からのアイコンイメージデータに基づいて表示させる。
【０１５１】
表示制御部５８は、表示対象タグ登録数データを、順次、注目タグ登録数データとして、以上のようにアイコンを表示させる。
【０１５２】
なお、アイコン表示領域１５３では、例えば、タグ登録数が１だけ増加する毎に、アイコンの縦の長さの１／２の長さだけ上方向の位置に、アイコンが表示される。
【０１５３】
また、上述の場合には、注目タグ登録数データのタグID毎のタグ登録数のうちの１つのタグ登録数のタグIDだけを、表示用タグIDとして選択し、その表示用タグIDによって特定されるタグに対応するアイコンを表示するようにしたが、その他、例えば、注目タグ登録数データのタグID毎のタグ登録数のうちの、全て等の２以上のタグ登録数のタグIDを、表示用タグIDとして選択し、その２以上の表示用タグIDそれぞれによって特定されるアイコン（２以上のアイコン）を表示することが可能である。
【０１５４】
さらに、上述の場合には、記憶部３２に記憶されたタグ登録データから生成されたタグ登録数データに基づいて、アイコンを表示することとしたが、アイコンの表示は、その他、タグ管理サーバ１２（図１）から表示装置１１に送信されてくる平均タグ登録数データや、他ユーザタグ登録数データに基づいて行うことが可能である。
【０１５５】
また、記憶部３２に記憶されたタグ登録データから生成されたタグ登録数データ（以下、適宜、自己タグ登録数データという）に基づくアイコンの表示と、タグ管理サーバ１２（図１）からの他ユーザタグ登録数データ（または、平均タグ登録数データ）に基づくアイコンの表示とは、いずれか一方だけを選択して行うことも可能であるし、両方を行うこと、すなわち、自己タグ登録数データに基づくアイコンと、他ユーザタグ登録数データに基づくアイコンとの両方を表示することも可能である。
【０１５６】
例えば、自己タグ登録数データに基づくアイコンだけを表示する場合は、ユーザは、対象コンテンツに対して抱いた自己の感情、ひいては、対象コンテンツに対する自身の具体的な評価を把握（確認）することができる。
【０１５７】
また、他ユーザタグ登録数データに基づくアイコンだけを表示する場合は、ユーザは、対象コンテンツに対して他のユーザが抱いた感情、ひいては、対象コンテンツに対する他のユーザの具体的な評価を把握することができる。
【０１５８】
さらに、自己タグ登録数データに基づくアイコンと、他ユーザタグ登録数データに基づくアイコンとの両方を表示する場合には、ユーザは、対象コンテンツに対して自身が抱いた感情と、他のユーザが抱いた感情との違い、または一致性を把握することができる。
【０１５９】
以上のように、スタート時刻を表す横軸上の位置と、スタート時刻から単位時間の時間帯であるスロットにおいて、対象コンテンツに対して登録されたタグのタグ登録数を表す縦軸上の位置とで特定されるアイコン表示領域１５３上の位置に、対象コンテンツに対して登録されたタグを表現するアイコンが表示されるので、ユーザは、例えば、対象コンテンツの内容における所定の部分としてのスロット毎の部分に対する、他のユーザの評価を直感的に把握することができる。
【０１６０】
図９の例においては、時間軸における目盛の最小単位は、タグ登録数データの単位時間情報に合わせて１分としており、単位時間である１分間に登録が指示されたタグの数に応じて、そのタグに対応するアイコンの縦方向の表示の位置が決定される。また、１分である時間軸における目盛の最小単位にあわせて、タグの登録の回数は１分間毎に制限される。例えば、タグの登録の回数は、１ユーザにつき１分間当たり２０回までとされる。なお、時間軸における目盛の最小単位は１分に限らず、表示部３５における表示の分解能に応じて変化させてもよく、また、これに合わせてタグ登録数データの単位時間情報で示される単位時間を変化させてもよい。
【０１６１】
次に、図１０のフローチャートを参照して、図１のタグ登録システムの表示装置１１におけるタグの登録の処理、およびタグ管理サーバ１２におけるタグ登録数の集計の処理について説明する。
【０１６２】
表示装置１１は、例えば、操作入力部３１が、タグ登録モードを選択するように操作されることで、コンテンツに対するタグの登録の処理を開始する。
【０１６３】
ステップＳ１１において、選択部５１は、操作入力部３１が操作されて、対象コンテンツが放送されている地域およびチャンネルが選択され、録画が指示されたか否かを判定し、対象コンテンツが放送されている地域およびチャンネルが選択され、録画が指示されるまで、同様の処理を繰り返す。
【０１６４】
ステップＳ１１において、例えば、タグ登録モードにおいて、ユーザが、操作入力部３１を、対象コンテンツが放送されている地域およびチャンネルを選択し、録画を指示するように操作すると、その操作に対応する操作信号が、操作入力部３１から選択部５１に供給される。これにより、選択部５１は、対象コンテンツが放送されている地域およびチャンネルが選択され、録画が指示されたものとみなし、ステップＳ１２において、操作入力部３１からの操作信号に応じて、対象コンテンツが放送されている地域およびチャンネルを選択し、その地域およびチャンネルを示す地域情報およびチャンネル情報を、タグ登録データ生成部５５、表示制御部５８、チューナ６１、および録画部６２に供給する。さらに、表示制御部５８は、選択部５１から供給された地域情報およびチャンネル情報を反映したタグ表示ウィンドウ１３１およびコンテンツ表示ウィンドウ１３２（図９）を、表示部３５に表示させ、処理はステップＳ１３に進む。
【０１６５】
ステップＳ１３において、チューナ６１は、選択部５１より供給されてくるチャンネル情報に基づいて、図示せぬアンテナを介して放送波を受信すると共に、受信した放送波よりコンテンツデータを抽出して表示制御部５８、および録画部６２に供給する。表示制御部５８は、コンテンツ表示ウィンドウ１３２（図９）を、表示部３５に表示させ、供給されてきたコンテンツデータを表示する。また、録画部６２は、チューナ６１より供給されてきたコンテンツデータを記憶部３２に順次記憶させる。このとき、コンテンツデータには、コンテンツの各シーンが放送された放送時刻の情報が含まれており、録画に伴って、各シーンが放送時刻に対応付けられた状態で記憶部３２に記憶される。したがって、録画されたコンテンツデータは、放送時刻の情報に基づいて、シーンを検索することが可能となっている。
【０１６６】
ステップＳ１４において、表示制御部５８は、タグ表示ウィンドウ１３１のアイコン表示領域１５３の時間軸に沿って、ポインタ１５４の移動を開始し、処理はステップＳ１５に進む。
【０１６７】
ステップＳ１５において、タグ読み出し部５２は、タグの登録の指示があったか否かを判定する。より具体的には、タグ読み出し部５２は、タグ表示ウィンドウのアイコンボタン１５２のうちのいずれかが操作されることにより、その操作に対応する操作信号が操作入力部３１から供給されたかを判定する。
【０１６８】
ステップＳ１５において、タグの登録の指示があったと判定された場合、処理はステップＳ１６に進み、タグ読み出し部５２は、記憶部３２から、登録が指示されたタグを読み出す。言い換えると、タグ読み出し部５２は、タグ表示ウィンドウ１３１において、アイコンボタン１５２のうちのユーザによって操作されたアイコンボタンに対応するタグを、記憶部３２から読み出す。
【０１６９】
さらに、タグ読み出し部５２は、ステップＳ１６において、タグ登録データ生成部５５に、記憶部３２から読み出したタグのタグIDを供給する。
【０１７０】
また、タグ読み出し部５２は、時刻情報取得部５３に、タグの登録が指示された時刻を取得させるための指示を供給して、処理はステップＳ１６からステップＳ１７に進む。
【０１７１】
ステップＳ１７において、時刻情報取得部５３は、タグ読み出し部５２からの指示に基づいて、時計部５４から、タグの登録が指示された時刻を示す時刻情報を取得し、タグ登録データ生成部５５に供給して、処理は、ステップＳ１８に進む。
【０１７２】
ステップＳ１８において、タグ登録データ生成部５５は、選択部５１、タグ読み出し部５２、および時刻情報取得部５３のそれぞれから供給された、地域情報とチャンネル情報、タグのタグID、および時刻情報、並びに予め設定されたユーザIDから、図５のタグ登録データを生成し、記憶部３２に供給して、処理は、ステップＳ１９に進む。
【０１７３】
一方、ステップＳ１５において、タグの登録の指示がなかったと判定された場合、処理は、ステップＳ１６乃至ステップＳ１８をスキップして、ステップＳ１９に進む。
【０１７４】
ステップＳ１９において、タグ登録数データ生成部５６は、時計部５４から出力される現在時刻を基に、直前のスタート時刻から単位時間が経過したか否かを判定する。
【０１７５】
ステップＳ１９において、まだ単位時間が経過していないと判定された場合、処理は、ステップＳ１５に戻り、ステップＳ１５乃至ステップＳ１９の処理が繰り返される。
【０１７６】
一方、ステップＳ１９において、単位時間が経過したと判定された場合、処理は、ステップＳ２０に進み、タグ登録数データ生成部５６は、記憶部３２に記憶されたタグ登録データを用いて、タグ登録数データ（自己タグ登録数データ）を生成し、記憶部３２に供給して記憶させるとともに、通信制御部５７、および表示制御部５８に供給して、処理はステップＳ２１に進む。
【０１７７】
ステップＳ２１において、送信制御部７１は、通信部３４に、タグ登録数データ生成部５６から供給された自己タグ登録数データを送信させる。
【０１７８】
一方、タグ管理サーバ１２では、ステップＳ３１において、受信制御部１１１（図８）は、表示装置１１それぞれから送信されてきたタグ登録数データを、通信部９９（図７）に受信させ、タグ登録数集計部１１２（図８）に供給し、処理はステップＳ３２に進む。
【０１７９】
ステップＳ３２において、タグ登録数集計部１１２は、ステップＳ３１で受信されたタグ登録数データのうちの、同一の地域情報、チャンネル情報、および単位時間情報を有するタグ登録数データを対象に、タグ登録数をタグID毎に集計し、その結果得られた全ユーザタグ登録数データを、記憶部９８に供給して記憶させるとともに、送信制御部１１３に供給して、処理はステップＳ３３に進む。
【０１８０】
ステップＳ３３において、送信制御部１１３は、タグ登録数集計部１１２から供給された全ユーザタグ登録数データを基に、他ユーザタグ登録数データを求め、通信部９９に供給して、表示装置１１に対して送信させる。
【０１８１】
その後、処理は、ステップＳ３３からステップＳ３１に戻り、以下、同様の処理が繰り返される。
【０１８２】
一方、表示装置１１では、ステップＳ２２において、受信制御部７２が、通信部３４に、タグ管理サーバ１２から送信されてきた他ユーザタグ登録数データを受信させ、表示制御部５８に供給して、処理はステップＳ２３に進む。
【０１８３】
ステップＳ２３において、表示制御部５８は、図９で説明したように、タグ表示ウィンドウ１３１のアイコン表示領域１５３に、タグ登録数データ生成部５６から供給された自己タグ登録数データに基づくアイコン、若しくは、受信制御部７２から供給された他ユーザタグ登録数データに基づくアイコンのうちの一方、または両方を表示させる。
【０１８４】
ステップＳ２４において、選択部５１は、操作入力部３１が操作されて、選択されたチャンネルにおいて放送されているコンテンツが終了か、または、コンテンツの受信そのものを終了する指示があったか否かを判定し、例えば、コンテンツが終了しておらず、受信そのものの終了も指示されていない場合、処理は、ステップＳ１５に戻り、それ以降の処理が繰り返される。すなわち、コンテンツが終了するか、または、受信を終了するように指示があるまで、ステップＳ１５乃至Ｓ２４の処理が繰り返されることになる。
【０１８５】
ステップＳ２４において、コンテンツが終了か、または、コンテンツの受信そのものを終了する指示があった場合、ステップＳ２５において、選択部５１は、録画部６２に対して録画の終了を指示する。これに応じて、録画部６２は、録画処理を停止し、処理は、ステップＳ１１に戻る。
【０１８６】
以下、例えば、タグ登録モードが解除されるまで、同様の処理が繰り返される。
【０１８７】
なお、表示制御部５８は、ステップＳ２３において、タグ読み出し部５２から、記憶部３２に記憶されたタグのアイコンイメージデータおよび色データの供給を受け、そのアイコンイメージデータおよび色データに基づいて、アイコンを表示する。
【０１８８】
また、ユーザによってタグの登録の指示があった場合には、登録が指示されたタグに対応する音データおよび振動パターンデータに基づいて、音を出力させたり、振動を発生させたりするようにしてもよい。より具体的には、タグ読み出し部５２が、登録の指示があったタグの音データを音声出力制御部５９に供給するとともに、振動パターンデータを振動制御部６０に供給することで、音声出力部３６に音声を出力させたり、振動部３７を振動させたりすることができる。
【０１８９】
このようにして、ユーザは、コンテンツを視聴しながら、タグ表示ウィンドウ１３１のアイコンボタン１５２を選択することによって、直感的かつ簡単に、コンテンツに対するタグの登録を指示するとともに、同じコンテンツを視聴している他のユーザによって登録されたタグをほぼリアルタイムに把握することができる。
【０１９０】
以上のように、表示装置１１では、感情を表すタグのうちの、ユーザがコンテンツ（対象コンテンツ）に対する登録を指示したタグに含まれるそのタグを特定する特定情報としてのタグIDと、ユーザがタグの登録を指示したときの時刻を示す時刻情報とが含まれるタグ登録データの数に関するタグ登録数データを取得し、時刻を表す第１の軸である横軸（時間軸）と、タグ登録データの数を表す第２の軸である縦軸とで示される表示領域（アイコン表示領域１５３）における、所定の時刻を表す横軸上の位置と、所定の時刻を含む所定の単位時間に含まれる時刻を示す時刻情報を有するタグ登録データのうちの、同一のタグIDを有するタグ登録データの数を表す縦軸上の位置とで特定される位置への、タグIDで特定されるタグが表す感情を表現するアイコンの表示を、タグ登録数データに基づいて制御するので、ユーザは、例えば、対象コンテンツの内容における所定の部分に対する、他のユーザの評価を直感的に把握することができる。
【０１９１】
なお、上述の説明では、アイコン表示領域１５３において、横軸が時刻を表し、縦軸がタグ登録データの数を表すこととしたが、横軸がタグ登録データの数を表し、縦軸が時刻を表すようにしてもよい。
【０１９２】
また、上述した説明では、直前のスタート時刻から単位時間が経過した後に、その単位時間内に登録が指示されたタグのタグ登録データから自己タグ登録数データを生成し、その自己タグ登録数データに基づくアイコンを表示させるようにしたが、表示装置１１のユーザの指示によるタグの登録においては、単位時間の経過に関わらず、タグの登録が指示される度に、対応するアイコンを表示させるようにしてもよい。すなわち、表示制御部５８では、タグ登録データ生成部５５において、タグの登録の指示に応じてタグ登録データが生成される度に、タグ登録データのタグIDで特定されるタグに対応するアイコンの表示の位置を変化させるようにしてもよい。
【０１９３】
これにより、表示装置１１のユーザは、登録されたタグに対応するアイコンの表示の位置の変化をリアルタイムに確認することができる。
【０１９４】
また、上述した説明において、タグの登録の対象のコンテンツは、現在放送されているテレビジョン放送番組であるものとして説明してきたが、過去に放送され記録（録画）されたコンテンツを視聴する場合には、表示装置１１では、そのコンテンツを対象コンテンツとする他ユーザタグ登録数データを、タグ管理サーバ１２から取得し、その他ユーザタグ登録数データに基づくアイコンを表示することができる。
【０１９５】
これによって、ユーザは、録画したコンテンツに対する他のユーザの評価を確認してから、コンテンツの視聴を始めることができる。すなわち、他のユーザの評価に応じて、録画したコンテンツを視聴するか否かを判断することができる。また、表示装置１１では、時計部５４が計時する時刻を、録画したコンテンツが放送されていた時刻に変更し、ユーザのタグの登録の指示によって得られる自己タグ登録数データをタグ管理サーバ１２に送信することで、ユーザは、録画したコンテンツに対して、過去に登録されたタグに加えて、新たにタグを登録することができるようになり、録画したコンテンツをリアルタイムに視聴している感覚を覚えることができる。
【０１９６】
次に、図１１のフローチャートを参照して、上述した処理により録画されたコンテンツをタグ登録数データによりダイジェスト編集し、ダイジェスト編集されたコンテンツを再生するコンテンツ編集再生処理について説明する。ここでいうダイジェスト編集とは、コンテンツのシーンをタグ登録数データによりシーン単位で間引いて、例えば、３分、５分、または１０分などの所定の再生時間に編集することを示している。
【０１９７】
ステップＳ５１において、編集部６３は、表示制御部５８を制御して、記憶部３２に録画されているコンテンツが指定されて、コンテンツのダイジェスト編集か、または、ダイジェスト編集されたコンテンツの再生のいずれかの指示を要求する画面を表示部３５に表示させる。
【０１９８】
ステップＳ５２において、編集部６３は、操作入力部３１が操作されて、記憶部３２に録画されているコンテンツが指定されて、指定されたコンテンツのダイジェスト編集が指示されたか否かを判定する。
【０１９９】
ステップＳ５２において、例えば、操作入力部３１が操作されて、コンテンツのダイジェスト編集が指示された場合、ステップＳ５３において、編集部６３は、表示制御部５８を制御して、ダイジェスト編集後の再生時間Ｔを指定するように要求する画面を表示部３５に表示させる。すなわち、上述したように、編集部６３は、表示制御部５８を制御して、ダイジェスト編集後の再生時間として、例えば、３分、５分、または１０分などの予め設定された所定の時間から指定するような画面を表示させるようにしてもよいし、具体的なダイジェスト編集後の再生時間Ｔを指定できるようにしても良い。
【０２００】
ステップＳ５４において、編集部６３は、操作入力部３１が操作されて、ダイジェスト編集後の再生時間Ｔが指定されたか否かを判定し、再生時間Ｔが指定されるまで、同様の処理を繰り返す。
【０２０１】
ステップＳ５４において、例えば、操作入力部３１が操作されて、ダイジェスト編集後の再生時間Ｔが指定された場合、ステップＳ５５において、編集部６３は、記憶部３２にアクセスして、指定されたコンテンツに対応するコンテンツデータを読み出す。
【０２０２】
ステップＳ５６において、編集部６３は、指定されたコンテンツに対応するタグ登録数データを読み出す。ここで読み出されるタグ登録数データは、全てのタグIDについての他ユーザタグ登録数データであるのものとするが、特定のタグIDに対応する他ユーザタグ登録数データ、または、自己タグ登録数データとするようにしてもよいし、平均タグ登録数データのいずれかを必要に応じてユーザが切り替えて利用するようにしてもよい。
【０２０３】
ステップＳ５７において、編集部６３は、シーン分割部８１を制御して、読み出したコンテンツのシーン変更位置を検出させ、検出されたシーン検出位置でコンテンツをシーンごとに分割させる。より詳細には、例えば、コンテンツデータが、複数の連続する静止画からなる画像データで構成されている場合、シーン分割部８１は、連続する静止画の、例えば、画素間差分絶対値和などを比較結果として求め、比較結果が所定値以上に大きく変化する位置、すなわち、シーンが切り替わるなどして、前後で全く異なる画像に切り替わる位置をシーン変更位置として検出し、シーン変更位置の間の区間をシーンとしてコンテンツデータから分割する。このとき、各シーンは、先頭位置の静止画表示される開始時刻情報と最終位置の静止画が表示される終了時刻情報とからなるシーン情報として分割される。
【０２０４】
ステップＳ５８において、編集部６３は、シーン抽出部８２を制御して、読み出されたタグ登録数データに基づいて、シーン毎のタグ登録数を集計させる。すなわち、例えば、編集処理が指定されたコンテンツデータが、ステップＳ５７の処理により、第１シーン乃至第Ｎシーンまでに分割された場合、シーン抽出部８２は、第１シーン乃至第Ｎシーンのそれぞれの開始時刻情報と終了時刻情報とから対応する全タグIDに対応するタグ登録数データよりタグ登録数を集計する。
【０２０５】
より具体的には、各単位時間であるスロットが１分間である場合、第１シーンが開始時刻情報がコンテンツデータの０分目で終了時刻情報が３分目であったとき、０分目乃至１分目のスロットにおける全タグIDに対応するタグ登録数が４であり、１分目乃至２分目のスロットにおける全タグIDに対応するタグ登録数が８であり、２分目乃至３分目のスロットにおける全タグIDに対応するタグ登録数が２であれば、第１シーンのタグ登録数の合計は、１４となる。また、第２シーンが開始時刻情報がコンテンツデータの３分目で終了時刻情報が５分目であったとき、３分目乃至４分目のスロットにおける全タグIDに対応するタグ登録数が５であり、４分乃至５分のスロットにおける全タグIDに対応するタグ登録数が４であれば、第２シーンのタグ登録数の合計は９となる。同様に、シーン抽出部８２は、第１シーン乃至第Ｎシーンの各シーン毎にタグ登録数の合計を集計する。
【０２０６】
ステップＳ５９において、シーン抽出部８２は、各シーン毎のタグ登録数により、シーンの順位を求め、タグ登録数が所定の順位ｎ位以上、すなわち、上位ｎ位までのシーンをダイジェストシーンとして抽出する。すなわち、例えば、コンテンツデータが第１シーン乃至第５シーンまでに分割されており、第１シーンのタグ登録数が１４、第２シーンのタグ登録数が９、第３シーンのタグ登録数が４、第４シーンのタグ登録数が２、第５シーンのタグ登録数が１１であった場合、例えば、ｎ＝２であったとき、タグ登録数により、順位は、第１シーン、第５シーン、第２シーン、第３シーン、第４シーンとして求められることになる。そこで、シーン抽出部８２は、上位ｎ位＝上位２位までのシーンとして、第１シーンおよび第５シーンをダイジェストシーンとして抽出する。尚、この上位ｎ位は、図示せぬカウンタｎにより管理されている。
【０２０７】
ステップＳ６０において、シーン抽出部８２は、ダイジェストシーンとして抽出したシーンの再生時間の合計時間が指定された再生時間Ｔよりも短いか否かを判定する。すなわち、抽出したシーンの再生時間の合計時間は、抽出されたシーンの個別の再生時間の長さ、およびシーンの数により決定されるため、再生時間Ｔより短いか否かが判定される。
【０２０８】
ステップＳ６０において、例えば、抽出したシーンの再生時間の合計時間が再生時間Ｔよりも短いと判定された場合、ステップＳ６１において、シーン抽出部８２は、所定上位ｎ位が最大順位であるＮ位であるか否かを判定する。例えば、ステップＳ６１において、所定の上位ｎ位が最大順位Ｎ位でなければ、まだ、それ以上のシーンが抽出できることになるので、ステップＳ６２において、所定の順位を示す図示せぬカウンタｎを１インクリメントし、処理は、ステップＳ５９に戻る。すなわち、再生時間の合計時間が再生時間Ｔに満たないのであれば、抽出できるシーンの条件を緩めることにより、ステップＳ５９の処理で、さらに多くのシーンを抽出するようにする。
【０２０９】
一方、ステップＳ６０において、シーン抽出部８２は、抽出したシーンの合計時間が指定された再生時間Ｔよりも短くない場合、シーン抽出部８２は、抽出されたシーンの合計再生時間が指定された再生時間Ｔよりも長いか否かを判定する。
【０２１０】
ステップＳ６０において、抽出したシーンの合計再生時間が再生時間Ｔよりも長い場合、ステップＳ６４において、シーン抽出部８２は、カウンタｎが２回目の同一の値であるか否かを判定する。ステップＳ６４において、カウンタｎが２回目の同一の値ではない場合、ステップＳ６５において、シーン抽出部６６は、カウンタｎが１であるか否かを判定する。すなわち、カウンタｎが１であるということは、所定の上位ｎ位が最上位であることになり、タグ登録数が最上位のシーンだけを抽出しても、再生時間Ｔを越えることになり、言わば、シーンをそれ以上絞り込むことができない状態であるといえる。そこで、ステップＳ６５において、カウンタｎが１ではない場合、ステップＳ６６において、シーン抽出部８２は、カウンタｎを１デクリメントして、処理は、ステップＳ５９に戻る。
【０２１１】
すなわち、抽出されるシーンの合計再生時間は、上位ｎ位までのシーンの合計再生時間であるが、ステップＳ５９乃至Ｓ６６の処理が繰り返されることにより、再生時間Ｔに対して長ければ、カウンタｎを１インクリメントすることで、抽出するシーンを少なくし、再生時間Ｔに対して短ければ、カウンタｎを１デクリメントすることで、抽出するシーンを増やす処理を繰り返す。
【０２１２】
そして、例えば、ステップＳ６１において、カウンタｎが最大順位Ｎ位を示すＮであった場合、すなわち、再生合計時間が、再生時間Ｔに対して短いが、カウンタｎが最大順位であって、これ以上抽出できるシーンが存在しない場合、これ以上のシーンの抽出をあきらめて、処理は、ステップＳ６７に進む。
【０２１３】
また、例えば、ステップＳ６５において、カウンタｎが１であった場合、すなわち、再生合計時間が再生時間Ｔに対して長いが、最上位のシーンのみを抽出するだけで、合計再生時間が長い場合、これ以上のシーンの絞込みをあきらめて、処理は、ステップＳ６７に進む。
【０２１４】
さらに、ステップＳ６４において、カウンタｎの取る値が２回同一の値をとった場合、すなわち、順位が上位ｎ位が１位だけ上下することにより、抽出されるシーンの数が大幅に変化し、合計再生時間が再生時間Ｔに対して十分な長さとならず、カウンタｎが同一の値を２回とった場合、上位ｎ位を変更しても適正なシーンの長さに調整することができないと考えられるので、２回目の値となった上位ｎ位までのシーンの合計再生時間となるシーンを組み合わせることでダイジェスト編集ができるものと考え、処理は、ステップＳ６７に進む。
【０２１５】
ステップＳ６７において、編集部６３は、インデックス生成部８３を制御して、抽出したシーンの情報に基づいて、例えば、ダイジェストインデックスデータを生成させ、記憶部３２に記憶させる。すなわち、ダイジェストインデックスデータとは、上述したように抽出されたシーンが、上位２位となる第１シーンおよび第５シーンを抽出した場合、第１シーン、および第５シーンの開始時刻情報、および終了時刻情報からなる情報である。
【０２１６】
ステップＳ６８において、編集部６３は、表示制御部５８を制御して、ダイジェスト編集が終了したことを表示部３５に表示させ、処理は、ステップＳ５１に戻る。
【０２１７】
一方、ステップＳ５２において、コンテンツを指定してダイジェスト編集が指示されなかった場合、ステップＳ６９において、編集部６３は、操作入力部３１が操作されて、ダイジェスト編集されたコンテンツの再生が指示されたか否かを判定する。ステップＳ６９において、例えば、ダイジェスト編集されたコンテンツの再生が指示されなかった場合、処理は、ステップＳ５１に戻る。すなわち、コンテンツのダイジェスト編集、および、ダイジェスト編集されたコンテンツの再生が何れも指示なされない場合、ステップＳ５１，Ｓ５２，Ｓ６９の処理が繰り返される。
【０２１８】
ステップＳ６９において、コンテンツが指定され、ダイジェスト編集されたコンテンツの再生が指示された場合、ステップＳ７０において、編集部６３は、記憶部３２に記憶されている、再生が指示されたコンテンツのダイジェストインデックスデータを読み出し、表示制御部５８に供給し、表示部３５に表示させる。この際、編集部６３は、ダイジェストインデックスデータに基づいて、コンテンツデータより、抽出された各シーンの開始時刻情報に基づいて、コンテンツデータの対応する位置より先頭の画像をそれぞれ読み出して、表示制御部５８に供給する。これにより、表示制御部５８は、供給されてきた画像を、例えば、時系列にサムネイル画像として配置し、サムネイル画像単位で各シーンを指定するインデックス画像として表示部３５に表示する。すなわち、例えば、上位２位となる第１シーンおよび第５シーンが抽出されている場合、第１シーン、および第５シーンの開始時刻情報に対応する画像（静止画）がコンテンツデータより読み出され、この画像がサムネイル画像からなるインデックス画像が表示される。
【０２１９】
ステップＳ７１において、編集部６３は、操作入力部３１が操作されて、表示部３５に表示されたインデックス画像のいずれかのシーンを示すサムネイル画像が選択されて、再生を開始するシーン（再生を開始するコンテンツデータ上の位置）が指定されたか否かを判定し、例えば、いずれかのサムネイル画像が選択された場合、ステップＳ７２において、編集部６３は、ダイジェスト再生部８４を制御して、選択されたサムネイル画像を先頭画像とするシーンからコンテンツデータを順次読み出させて、表示制御部５８に供給し、表示部３５に表示させる。
【０２２０】
すなわち、例えば、上位２位となる第１シーンおよび第５シーンがダイジェストシーンとして抽出されている場合、それぞれの開始時刻情報に対応する静止画像からなるサムネイル画像により構成されるインデックス画像が表示され、第１シーンの先頭画像のサムネイル画像が選択され、第１シーンからダイジェスト再生が指示されたとき、ダイジェスト再生部８４は、第１シーンの開始時刻情報に対応する位置から、ダイジェスト再生が指示されたコンテンツデータの再生を開始する。
【０２２１】
ステップＳ７３において、編集部６３は、操作入力部３１が操作されて、再生終了が指示されたか否かを判定し、再生終了が指示されない場合、処理は、ステップＳ７４に進む。ステップＳ７４において、編集部６３は、ダイジェスト再生部８４を制御して、ダイジェスト再生が開始されて再生時間Ｔが経過したか否かを判定する。すなわち、今の場合、第１シーンおよび第５シーンがダイジェストとして抽出されているシーンであるので、ダイジェスト再生部８４は、再生の開始が指示された第１シーンの開始時刻情報に対応する位置からコンテンツデータの再生を開始し、第１シーンの終了時刻情報まで再生を完了したとき、次のシーンがあるか否かを判定する。今の場合、第５シーンが存在するので、ダイジェスト再生部８４は、第１シーンの終了時刻情報に対応するコンテンツデータの位置まで再生させた後は、第５シーンの開始時刻情報に対応するコンテンツデータの位置からコンテンツを再生させる。そして、今の場合、第５シーンまでがダイジェストシーンとして抽出されているが、第１シーンおよび第５シーンの再生時間の合計が、再生時間Ｔよりも長い可能性があるので、ダイジェスト再生が開始されてから再生時間Ｔが経過するまで、その処理は、ステップＳ７３に戻る。すなわち、再生の終了が指示されることなく、再生時間Ｔが経過するまでは、ステップＳ７３，Ｓ７４の処理が繰り返されて、順次、ダイジェストシーンとして抽出されたシーンが時系列に順次再生される。そして、ステップＳ７３において、再生の終了が指示された場合、または、ステップＳ７４において、再生時間Ｔが経過するまでダイジェストシーンとして抽出されたシーンが時系列に順次再生された場合、ステップＳ７５において、ダイジェスト再生部８４は、再生を終了し、処理は、ステップＳ５１に戻り、それ以降の処理が繰り返される。
【０２２２】
尚、ステップＳ７１において、再生開始するインデックスが指定されなかった場合、ステップＳ７６において、インデックス再生部７４は、ダイジェストシーンとして抽出されたシーンの先頭となるシーンの開始時刻情報に対応する先頭シーンからダイジェストシーンとなるコンテンツデータを時系列に順次再生する。すなわち、今の場合、第１シーンの開始時刻情報に対応する位置から、コンテンツデータの再生が開始される。
【０２２３】
以上の処理を纏めると、以下のようにダイジェスト編集および再生が実現される。
【０２２４】
すなわち、図１０のフローチャートを参照して説明したタグの登録の処理により登録されたタグ登録数データに基づいて、図１２の最上段で示されるように、コンテンツにおけるユーザ、または、他のユーザが何らかの感情を抱いたタイミングで、タグが登録される。尚、図１２の最上段においては、コンテンツの再生されるタイミングが示されており、横軸が時刻情報であり、各位置に示される丸印は、タグを示しており、タイミング２０１においては、タグ２０１−１乃至２０１−３が付されており、タイミング２０２においては、タグ２０２−１が登録されていることが示されている。
【０２２５】
そして、図１１のフローチャートを参照したダイジェスト編集再生処理におけるステップＳ５６において、図１２で示される最上段で示される情報がタグ登録数データとして読み出され、ステップＳ５７において、図１２の上から２段目で示されるように、コンテンツデータがシーンごとに分割される。すなわち、図１２の上から２段目は、時刻ｔ０乃至ｔ５において、それぞれシーン切替位置が検出されたタイミングを示している。したがって、図１２の上から２段目においては、時刻ｔ０乃至ｔ１が第１シーンを、時刻ｔ１乃至ｔ２が第２シーンを、時刻ｔ２乃至ｔ３が第３シーンを、時刻ｔ３乃至ｔ４が第４シーンを、時刻ｔ４乃至ｔ５が第５シーンを・・・・、それぞれ示しており、それぞれのシーンに分割されていることが示されている。
【０２２６】
さらに、ステップＳ５９乃至Ｓ６６の処理により、タグ登録数が上位ｎ位となるシーンが、ダイジェストシーンとして抽出される。すなわち、図１２の２段目で示される場合、上位２位までのシーンが抽出されるものとすれば、図１２の３段目で示されるように、第２シーンおよび第４シーンがダイジェストシーンとして抽出され、抽出されたダイジェストシーンに基づいて、ダイジェストインデックスデータが生成される。
【０２２７】
そして、ステップＳ７０乃至Ｓ７５の処理により、ダイジェスト再生部８４が、ダイジェストインデックスデータに基づいて、図１２の４段目で示されるように、第２シーンの開始時刻情報に対応する位置からコンテンツを順次再生し、第２シーンの終了時刻情報に対応する位置まで再生させると、引き続き第４シーンの開始時刻情報に対応する位置から再生し、合計再生時間が再生時間Ｔを経過するまで再生する。
【０２２８】
尚、図１２の５段目は、ダイジェストシーンである第２シーンおよび第４シーンの先頭画像のサムネイル画像Ｐ１，Ｐ２からなるインデックス画像Ｉを示している。すなわち、このインデックス画像Ｉに含まれるサムネイル画像Ｐ１，Ｐ２のうち、指定されたサムネイル画像に対応するシーンからダイジェスト再生が開始される。したがって、図１２の５段目においては、サムネイル画像Ｐ１が指定されると第１シーンからダイジェスト再生が開始され、サムネイル画像Ｐ２が指定されると第１シーンからダイジェスト再生が開始される。
【０２２９】
以上の処理により、タグ登録数データに応じてダイジェストシーンが抽出されることになるので、他ユーザタグ登録数データを用いることで、ユーザは、自らがコンテンツを視聴していない状態であっても、他のユーザの評価に対応して編集されたコンテンツを視聴することが可能となるので、他のユーザの関心の高い部分のみを効率良く抽出して視聴することが可能となる。
【０２３０】
また、ダイジェストシーンのうちでも、ユーザの興味が最も高そうなシーンを、インデックス画像から選択して視聴することが可能となるので、他のユーザの関心が高い部分のうち、ユーザが最も興味のあるシーンから視聴することが可能となる。また、以上においては、ダイジェストシーンとして抽出されたシーンの先頭画像をサムネイル画像としてインデックス画像Iを構成する例について説明してきたが、インデックス画像に採用する画像は、先頭画像に限らず、例えば、ダイジェストシーンの中で、最もタグが登録されているタイミングの画像をインデックス画像に採用するようにしてもよく、このようにすることにより、ダイジェストシーンの中でも最も関心の高い部分をダイジェストシーンの画像とすることができるので、効率良く関心の高い部分を選択することが可能となる。
【０２３１】
さらに、以上においては、全タグIDのタグ登録数に基づいた処理について説明してきたが、例えば、タグIDによりシーンごとに集計するタグ登録数を変化させることにより、他のユーザが、例えば、「素晴らしい」と感じたシーンだけをダイジェストシーンとして抽出したり、「不愉快だ」と感じたダイジェストシーンだけを抽出して視聴することが可能となる。
【０２３２】
また、再生時間を指定してダイジェスト編集することができるので、ユーザが視聴可能な時間により、時間があるときは、より多くのシーンからなる長時間のダイジェスト再生を実現し、時間がないときは、より少ないシーンからなる短時間のダイジェスト再生を実現することが可能となる。
【０２３３】
さらに、以上においては、タグ登録数に基づいて、登録数の多いシーンをダイジェストシーンとして抽出する例について説明してきたが、例えば、他のユーザが「不愉快だ」と感じたシーンを除くシーンを抽出して、例えば、多くのユーザが「不愉快だ」と感じる残虐シーンを排除して編集するといったことも可能である。
【０２３４】
また、以上においては、タグの登録は、ユーザが操作入力部３１を操作する場合について説明してきたが、例えば、カメラにより撮像された人物の顔画像を認識し、笑顔が認識された場合、「素晴らしい」といった感情を示すタグを登録したり、泣き顔が認識された場合、「不愉快だ」といった感情を示すタグを登録するようにしてもよい。
【０２３５】
さらに、以上においては、ダイジェスト再生に際しては、ダイジェストインデックスデータに基づいて、コンテンツデータは非破壊編集されることになるので、再生時間Ｔを変化させたり、タグIDを変化させたり、他ユーザタグ登録数データまたは自己タグ登録数データなどを切替えてダイジェスト編集することが可能となる。
【０２３６】
また、以上においては、非破壊編集であるため、ダイジェスト再生する際、実質的に毎回コンテンツデータをダイジェスト編集して再生することになるので、処理能力の低い表示装置１１では、再生がうまく再生できない恐れがある。そこで、ダイジェストインデックスデータに基づいて、コンテンツデータを破壊編集して、ダイジェストコンテンツデータとして記憶部３２させ、ダイジェスト再生する際には、その破壊編集されたダイジェストコンテンツデータをそのまま再生するようにしてもよく、このような場合、ダイジェスト再生する際に、編集しながら再生する必要がなくなるので、処理能力の低い表示装置１１においても、ダイジェスト再生を確実に実現することが可能となる。また、編集されたダイジェストコンテンツデータを、以上で説明した同様の手法により、さらに、ダイジェスト編集するようにしてもよい。
【０２３７】
以上においては、本発明を、テレビジョン受像機、パーソナルコンピュータ、または携帯電話機としての表示装置に適用した実施の形態について説明したが、本発明は、例えば、PDA（Personal Digital Assistant）、デジタルカメラなど、表示手段を有する情報処理装置に適用することができる。
【０２３８】
上述した一連の処理は、ハードウエアにより実行することもできるし、ソフトウエアにより実行することもできる。一連の処理をソフトウエアにより実行する場合には、そのソフトウエアを構成するプログラムが、記憶部３２に、リムーバブルメディア３９から制御部３３を介してインストールされる。
【０２３９】
なお、本明細書において、リムーバブルメディア３９に格納されるプログラムを記述するステップは、記載された順序に沿って時系列的に行われる処理はもちろん、必ずしも時系列的に処理されなくとも、並列的あるいは個別に実行される処理をも含むものである。
【０２４０】
また、本発明の実施の形態は、上述した実施の形態に限定されるものではなく、本発明の要旨を逸脱しない範囲において種々の変更が可能である。
【図面の簡単な説明】
【０２４１】
【図１】本発明が適用されるタグ登録システムの構成例を示す図である。
【図２】本発明の一実施の形態である表示装置の機能的な構成例を示すブロック図である。
【図３】タグの構成を示す図である。
【図４】タグの種類の例を示す図である。
【図５】タグ登録データの構成を示す図である。
【図６】タグ登録数データの構成を示す図である。
【図７】タグ管理サーバのハードウェアの構成例を示すブロック図である。
【図８】タグ管理サーバの機能的な構成例を示すブロック図である。
【図９】タグ表示ウィンドウを説明する図である。
【図１０】タグの登録の処理およびタグ登録数の集計の処理を示すフローチャートである。
【図１１】ダイジェスト編集再生処理を説明するフローチャートである。
【図１２】ダイジェスト編集再生処理を説明する図である。
【符号の説明】
【０２４２】
１１  表示装置，  １１−１  テレビジョン受像機，  １１−２  パーソナルコンピュータ，  １１−３  携帯電話機，  ３１  操作入力部，  ３２  記憶部，  ３３  制御部，  ３４  通信部，  ３５  表示部，  ３６  音声出力部，  ３７  振動部，  ３８  ドライブ，  ３９  リムーバブルメディア，  ５１  選択部，  ５２  タグ読み出し部，  ５３  時刻情報取得部，  ５４  時計部，  ５５  タグ登録データ生成部，  ５６  タグ登録数データ生成部，  ５７  通信制御部，  ５８  表示制御部，  ５９  音声出力制御部，  ６０  振動制御部，  ７１  送信制御部，  ７２  受信制御部，  ８１  シーン分割部，  ８２  シーン抽出部，  ８３  インデックス生成部，  ８４  ダイジェスト再生部，  ９１  制御部，  ９９  通信部，  １１１  受信制御部，  １１２  タグ登録数集計部，  １１３  送信制御部，  １３１  タグ表示ウィンドウ，  １３２  コンテンツ再生ウィンドウ，  １５２  アイコンボタン，  １５３  アイコン表示領域，  １５４  ポインタ
【図１】
0005169239.tif 000002
【図２】
0005169239.tif 000003
【図３】
0005169239.tif 000004
【図４】
0005169239.tif 000005
【図５】
0005169239.tif 000006
【図６】
0005169239.tif 000007
【図７】
0005169239.tif 000008
【図８】
0005169239.tif 000009
【図９】
0005169239.tif 000010
【図１０】
0005169239.tif 000011
【図１１】
0005169239.tif 000012
【図１２】
0005169239.tif 000013